(57)【要約】【課題】管理サーバに顧客端末とペット撮像装置とを電気通信回線を介して接続したペット管理システムにおいて、外出先でも自分のペットの状況を容易に確認することにある。【解決手段】管理サーバ（６）は、顧客端末（２）からの入力情報を受信してこの入力情報に基づいて予め記憶している特定のペット情報をペット撮像装置（４）に送信し、特定のペット情報に基づいてペット撮像装置（４）の撮像手段（１２）を駆動してペット用建物（３）の特定のペットを撮像させ、ペット撮像装置（４）の撮像手段（１２）により撮像した特定のペットの撮像情報を受信して顧客端末（２）の表示手段（１０）に表示させる。【選択図】図１
2011223909.tif 000002
【特許請求の範囲】
【請求項１】
入力操作手段と表示手段とが備えられた顧客端末を設け、
ペットが滞在するペット用建物で撮像手段が備えられたペット撮像装置を設け、
ペットを管理する管理会社の会社用建物で顧客情報及びペットに関する各種情報を管理する管理サーバを設け、
この管理サーバには前記顧客端末と前記ペット撮像装置とを電気通信回線を介して接続し、
前記管理サーバは、
前記顧客端末からの入力情報を受信しこの入力情報に基づいて予め記憶している特定のペット情報を前記ペット撮像装置に送信し、
前記特定のペット情報に基づいて前記ペット撮像装置の撮像手段を駆動して前記ペット用建物のペット中で特定のペットを撮像させ、
前記ペット撮像装置の撮像手段により撮像した特定のペットの撮像情報を受信して前記顧客端末の表示手段に表示させることを特徴とするペット管理システム。
【請求項２】
前記ペット撮像装置は、
前記管理サーバから受信した特定のペット情報に基づいて前記撮像手段を駆動する駆動手段と、
前記撮像手段が撮像した特定のペットの撮像情報を前記管理サーバに送信する通信手段とを備え、
前記管理サーバは、
前記顧客端末からの入力情報を受信しこの入力情報に基づいて予め記憶している特定のペット情報を前記ペット撮像装置に送信するとともに前記ペット撮像装置からの特定のペットの撮像情報を受信して前記顧客端末に送信する通信手段と、
少なくとも前記顧客端末から受信した顧客情報及び前記ペット用建物の各ペットのペット情報を記憶する記憶手段とを備えていることを特徴とする請求項１に記載のペット管理システム。
【請求項３】
前記管理サーバは、
前記顧客端末から受信した入力情報に基づいてＧＰＳシステムに接続し、
前記ペット用建物の特定のペットに取り付けたＧＰＳ発信器から発信されたＧＰＳ情報を受信し、
このＧＰＳ情報を前記顧客端末に送信して前記表示手段に表示させることを特徴とする請求項１に記載のペット管理システム。
【発明の詳細な説明】
【技術分野】
【０００１】
この発明は、ペット管理システムに係り、特に外出先等からペットの状況を確認するペット管理システムに関する。
【背景技術】
【０００２】
近年、自宅において、犬や猫等のペットを飼う人が増えている。そして、旅行等で自宅を留守にする際には、ペットホテル等のペット用建物に預けることが多く行われ、また、ペットが病気の場合には、ペットをペット病院へ預けている。
【先行技術文献】
【特許文献】
【０００３】
【特許文献１】特開２００５−７３５８９号公報
【０００４】
特許文献１に記載のペット管理システムは、管理サーバが、受信した感情情報とその平均値とを比較し、受信した感情情報の中で平均値と所定の値以上に異なる感情情報の送信元のペット管理コンピュータに通知することにより、ペットの異常を検出するものである。
【発明の概要】
【発明が解決しようとする課題】
【０００５】
ところが、従来、ペットを自宅に置いての外出時やペットを他の場所に預かっている場合等では、ペットの状況を確認することが困難であり、よって、飼い主がペットがどのようになっているのか不安感をいだくことが多くなり、このため、飼い主がペットの状況をいつでも容易に確認できるシステムが望まれていた。
【０００６】
そこで、この発明の目的は、外出時やペットを預かっている場合等でも、飼い主がペットの状況を容易に確認できるペット管理システムを提供することにある。
【課題を解決するための手段】
【０００７】
この発明は、入力操作手段と表示手段とが備えられた顧客端末を設け、ペットが滞在するペット用建物で撮像手段が備えられたペット撮像装置を設け、ペットを管理する管理会社の会社用建物で顧客情報及びペットに関する各種情報を管理する管理サーバを設け、この管理サーバには前記顧客端末と前記ペット撮像装置とを電気通信回線を介して接続し、前記管理サーバは、前記顧客端末からの入力情報を受信しこの入力情報に基づいて予め記憶している特定のペット情報を前記ペット撮像装置に送信し、前記特定のペット情報に基づいて前記ペット撮像装置の撮像手段を駆動して前記ペット用建物のペット中で特定のペットを撮像させ、前記ペット撮像装置の撮像手段により撮像した特定のペットの撮像情報を受信して前記顧客端末の表示手段に表示させる。
【発明の効果】
【０００８】
この発明のペット管理システムは、管理サーバが顧客端末とペット撮像装置との間を取り次ぐことで、飼い主が外出先等でもペットの状況を容易に確認できる。
【図面の簡単な説明】
【０００９】
【図１】図１はペット管理システムの構成図である。（実施例１）
【図２】図２はペット管理のタイムチャートである。（実施例１）
【図３】図３はペット管理システムの構成図である。（実施例２）
【図４】図４はペット管理のタイムチャートである。（実施例２）
【発明を実施するための形態】
【００１０】
この発明は、飼い主が外出先等でもペットの状況を容易に確認する目的を、管理サーバが顧客端末とペット撮像装置との間を取り次ぐことで実現するものである。
【実施例１】
【００１１】
図１、図２は、この発明の実施例１を示すものである。
図１において、はペット管理システムである。
このペット管理システム１は、会員等になっているペットの飼い主である顧客が有する複数の顧客端末２と、複数のペットＰが滞在するペット用建物３内に設けられたペット撮像装置４と、このペット用建物３内のペットＰを管理する管理会社の会社用建物５内に設けられて顧客情報及びペットＰに関する各種情報を管理する管理サーバ６とを備えている。ペット用建物３としては、顧客の自宅、ペット病院、ペットホテル、ペット美容院、ペットショップ、ペット預り所等のペットが滞在する各種場所を含むものである。
管理サーバ６には、顧客端末２が一の電気通信回線（インターネット等）７−１を介して接続するとともに、ペット撮像装置４が他の電気通信回線（インターネット等）７−２を介して接続している。
【００１２】
顧客端末２は、例えば、携帯電話やパーソナルコンピュータ等の機器からなり、中央制御装置（ＣＰＵ）８と、情報を人為的に入力可能な入力操作手段９と、情報を表示する表示手段１０と、情報の通信手段１１とを備える。
【００１３】
ペット撮像装置４は、ペット用建物３内でペットＰ毎に写し出せるように所定箇所に配置された複数の撮像手段（カメラ）１２を備えるとともに、中央制御装置（ＣＰＵ）１３と、管理サーバ６から受信した特定のペット情報に基づき撮像手段１２を駆動する駆動手段１４と、撮像手段１２が撮像した特定のペットの撮像情報を管理サーバ６に送信する情報の通信手段１５とを備えている。
また、このペット撮像装置４には、情報を人為的に入力可能な入力操作手段１６と、情報を表示する表示手段１７とが接続している。
【００１４】
管理サーバ６は、中央制御装置（ＣＰＵ）１８と、顧客端末２からの入力情報を受信しこの入力情報に基づいて予め記憶している特定のペット情報をペット撮像装置４に送信するとともにペット撮像装置４からの特定のペットの撮像情報を受信して顧客端末２に送信する情報の通信手段１９と、少なくとも顧客端末２から受信した顧客情報及びペット用建物３内の各ペットＰのペット情報を記憶する記憶手段２０とを備えている。
この記憶手段２０は、顧客端末２からの入力情報により、顧客自身の顧客情報、ペット情報として、顧客毎のペットの情報及び各顧客のペットがペット用建物３のどこの場所に居るのかの情報等を記憶するものである。
この管理サーバ６は、定期的に、この記憶手段２０に記憶したペット情報を顧客端末２に送信して顧客にペットの状況を知らせる機能をも有する。
また、管理サーバ６には、記憶手段２０への情報の追加等を考慮して、情報を人為的に入力可能な入力操作手段２１と、情報を表示する表示手段２２とが接続している。
【００１５】
そして、管理サーバ６は、顧客端末２からの入力情報を受信しこの入力情報に基づいて予め記憶している特定のペット情報をペット撮像装置４に送信し、そして、この特定のペット情報に基づきペット撮像装置４の撮像手段１２を駆動してペット施設３内の特定のペットＰを撮像させ、さらに、ペット撮像装置４の撮像手段１２により撮像した特定のペットＰの撮像情報を受信して顧客端末２の表示手段１０に表示させる。
【００１６】
更に、管理サーバ６では、顧客からの顧客情報によって利用頻度や利用内容等の情報を記憶手段２０に蓄積しつつ、顧客への新たなサービス形態を構築する機能を有する。
【００１７】
次に、この実施例１の作用を、図２のタイムチャートに基づいて説明する。
管理サーバ６の記憶手段２０には、予め会員等になっている各顧客の顧客情報、これら顧客のペットの情報、ペット用建物３内のペットＰの居場所等の各種情報等の各種情報が記憶されている。
図２に示すように、顧客がペットＰの状況を確認したい場合に、先ず、顧客は、顧客端末２の入力操作手段９を操作して、管理サーバ６にログインするとともに（Ｓ１０１）、所定の情報を入力してその入力情報を管理サーバ６に送信する（Ｓ１０２）。
そして、この管理サーバ６は、顧客端末２から受信した入力情報に基づき、記憶手段２０に記憶している各種情報中で選択した特定のペット情報をペット撮像装置４に送信する（Ｓ１０３）。
このペット撮像装置４では、その特定のペット情報に基づいて該当するペットＰを撮像するように、所定の撮像手段１２を駆動し、そして、その特定のペットＰを撮像手段１２で撮像する。
その後、ペット撮像装置４は、撮像手段１２で撮像した特定のペットＰの撮像情報を、管理サーバ６に送信する（Ｓ１０４）。
そして、管理サーバ６は、この撮像情報を、記憶手段２０に記憶するとともに顧客端末２に送信し（Ｓ１０５）、さらに、顧客端末２の表示手段１０に表示させる。
【００１８】
これにより、顧客は、外出先等でも、顧客端末２の表示手段１０に表示された自分のペットＰの状況を容易に確認できる。よって、例えば、ペットの飼い主である顧客は、外出先では、自宅のペットの状況を確認でき、また、ペットをペット病院、ペット預かり所、ペット美容院等に預かっている場合には、その状況を容易に確認できる。
【実施例２】
【００１９】
図３、図４は、この発明の実施例２を示すものである。
この実施例２においては、上述の実施例１と同一機能を果たす箇所には、同一符号を付して説明する。
この実施例２の特徴とするところは、以下の点にある。即ち、図３に示すように、管理サーバ６には、ＧＰＳシステム２３を連絡する。
このＧＰＳシステム２３が連絡した管理サーバ６においては、ＧＰＳ受信手段２４とＧＰＳアンテナ２５とを備え、顧客端末２からの入力情報を受信し、ペット用建物３内の所定のペットＰに取り付けたＧＰＳ発信器２６から発信された特定のペット情報をＧＰＳ装置２７を介してＧＰＳ情報として受信し、この受信したＧＰＳ情報を顧客端末２の表示手段１０に表示させる。この場合、管理サーバ６は、ＧＰＳ発信器２６を取り付けたペットＰの状況を記憶する。
【００２０】
次に、この実施例２の作用を、図４のタイムチャートに基づいて説明する。
図４に示すように、顧客がペットＰの状況を確認したい場合に、先ず、顧客は、顧客端末２の入力操作手段９を操作して、管理サーバ６にログインするとともに（Ｓ２０１）、所定の情報を入力してその入力情報を管理サーバ６に送信する（Ｓ２０２）。
そして、この管理サーバ６は、顧客端末２から受信した入力情報に基づき、ＧＰＳシステム２３に接続する（Ｓ２０３）。
すると、管理サーバ６は、顧客のペットＰに取り付けたＧＰＳ発信器２６からのＧＰＳ情報を受信する（Ｓ２０４）。
そして、管理サーバ６は、そのＧＰＳ情報に基づいた特定のペット情報をペット撮像装置４に送信する（Ｓ２０５）。
このペット撮像装置４では、その特定のペット情報に基づいて該当するペットＰを撮像するように、所定の撮像手段１２を駆動し、そして、その特定のペットＰを撮像手段１２で撮像する。
その後、ペット撮像装置４は、撮像手段１２で撮像された特定のペットＰの撮像情報を、管理サーバ６に送信する（Ｓ２０６）。
そして、管理サーバ６は、この撮像情報を記憶するとともに、顧客端末２に送信し（Ｓ２０７）、顧客端末２の表示手段１０に表示させる。
【００２１】
これにより、顧客は、外出先等でも、ＧＰＳシステム２３を利用して顧客端末２の表示手段１０に表示された自分のペットＰの状況を容易に確認できる。
【００２２】
なお、管理会社における迷いペットの捜索においては、ペットＰにＧＰＳ発信器２６を取り付けた場合に、捜したいペットＰのペット情報を管理会社の入力操作手段２１で入力することにより管理サーバ６がその情報を発信し、ペット用建物３内のＧＰＳ発信器２６を取り付けたペットＰを特定することができ、これにより、管理会社では、この特定したペットＰを確保して顧客に届けることができる。
【００２３】
一方、ペットＰにＧＰＳ発信器２６を取り付けていない場合には、捜したいペットのペット情報を管理会社の入力操作手段２１で入力することにより、管理サーバ６がそのペット情報をペット撮像装置４に送信することで、ペット用建物３の係員又は専用業者が、その旨を表示手段１７で確認してペットを捜し、その状況の情報を入力操作手段１６で入力して管理サーバ６に送信することで、管理サーバ６がその旨の情報を顧客端末２に送信し、顧客がペットの状況を容易に確認できる。
【００２４】
また、このＧＰＳシステム２３を用いる場合において、ペットＰにＧＰＳ発信器２６を取り付ける方法としては、ペットＰの外出時のみを考慮して、ペットの首輪、装飾品、ペット用洋服、リックサック等に取り付け、ペットＰに対して着脱可能に取り付けたり、あるいは、虫歯の治療時に、義歯にＧＰＳ発信器２６を取り付けたり、あるいは、爪等にもＧＰＳ発信器２６を取り付けることができる。
更に、スピーカを備えたＧＰＳ発信器２６を用いることで、顧客端末２からの顧客の声をスピーカから発することも可能である。
更にまた、ＧＰＳ発信器２６を双方向通信可能で且つカメラを備えた発信器とすることで、顧客がペットＰへの呼びかけが可能になったり、ペット用建物３の係員と直接会話が可能になったり、また、ペットＰの周辺をカメラで確認することが可能となる。
【産業上の利用可能性】
【００２５】
この発明に係るペット管理システムを、各種通信システムに利用できる。
【符号の説明】
【００２６】
１  ペット管理システム
２  顧客端末
３  ペット用建物
４  ペット撮像装置
５  会社用建物
６  管理サーバ
７−１  一の電気通信回線
７−２  他の電気通信回線
９  顧客端末の入力操作手段
１０  顧客端末の表示手段
１２  ペット撮像装置の撮像手段（カメラ）
１４  撮像手段（カメラ）の駆動手段
２３  ＧＰＳシステム
２６  ＧＰＳ発信器
【図１】
2011223909.tif 000003
【図２】
2011223909.tif 000004
【図３】
2011223909.tif 000005
【図４】
2011223909.tif 000006